(57)【要約】【課題】火災時等の熱に基づき排水経路を遮断可能であるとともに、防火性能を安定して発揮できる建具を提供すること。【解決手段】建具である引違い窓は、窓枠と、障子３，４と、窓枠を構成する下枠２２に設けられた排水経路２３１に配置される補強材５と、補強材５に取り付けられた発泡材６とを備えている。補強材５は、下枠２２の上面部２２１を支持して当該下枠２２の熱変形を抑制可能な見付け片部５１を備えている。見付け片部５１は、排水経路２３１を連通させる排水孔５１１を有している。発泡材６は、加熱により見付け片部５１の排水孔５１１を閉塞可能な位置に配置されている。【選択図】図３
2015209659.tif 000002
【特許請求の範囲】
【請求項１】
排水経路が設けられた下枠を有する枠体と、この枠体に支持される面材とを備えた建具であって、
前記排水経路に配置される補強材と、前記補強材に取り付けられた発泡材とを備え、
前記補強材は、前記面材側に位置する下枠の上部を支持する見付け片部を備え、
前記見付け片部は、前記排水経路を連通させる排水部を有し、
前記発泡材は、加熱により発泡して前記見付け片部の排水部を閉塞可能な位置に配置される
ことを特徴とする建具。
【請求項２】
請求項１に記載の建具において、
前記補強材は、前記見付け片部に対し前記室内側に設けられた見込み片部を備え、
前記見込み片部は、前記排水経路を連通させる排水部を有し、
前記補強材には、前記見込み片部の排水部を塞ぐ発泡材が取り付けられている
ことを特徴とする建具。
【請求項３】
請求項１に記載の建具において、
前記補強材は、前記見付け片部に対し前記室内側に設けられた取付け片部を備え、
前記取付け片部には、前記発泡材が取り付けられている
ことを特徴とする建具。
【請求項４】
請求項１に記載の建具において、
前記補強材は、前記見付け片部に対し前記室内側に設けられた見込み片部と、前記見付け片部に対し前記室内側に設けられた取付け片部とを備え、
前記見付け片部の排水部は、前記見込み片部と前記取付け片部との間に位置し、
前記見込み片部は、前記排水経路を連通させる排水部を有し、
前記取付け片部には、前記発泡材が前記見込み片部の排水部に向かって発泡可能な位置に取り付けられている
ことを特徴とする建具。
【請求項５】
請求項１から請求項４のいずれか一項に記載の建具において、
前記下枠は、前記面材を支持するレールを有し、
前記見付け片部は、前記レールの下方であって前記レールによって支持する前記面材からの鉛直荷重を支持可能な位置に配置される
ことを特徴とする建具。
【請求項６】
請求項１から請求項５のいずれか一項に記載の建具において、
前記排水経路には、前記下枠の上面部に形成された水抜き孔と、前記下枠の室外側面部に形成された下枠排水孔とが配置され、
前記下枠は、少なくとも前記上面部および前記室外側面部によって区画されるホロー部を備え、
前記ホロー部には、前記補強材および前記発泡材が配置される
ことを特徴とする建具。
【発明の詳細な説明】
【技術分野】
【０００１】
本発明は、建具に関し、特に、下枠の排水経路を遮断する発泡材を備えた建具に関する。
【背景技術】
【０００２】
従来、面材と枠体とを備え、枠体に排水孔を形成し、この排水孔を加熱時に閉塞可能な位置に膨張黒鉛シートなどの発泡材を設けた建具が知られている。この建具では、火災時等の熱に基づいて発泡材が発泡し、この発泡により排水孔を塞いで室内外を遮断し、排水孔を通じた室内外間への火炎などの吹き込みを防止可能に構成されている。
【０００３】
例えば、特許文献１には、サッシ枠（枠体）と障子（面材）とを備えたサッシ（建具）が提案されている。サッシ枠はアルミ製の押出形材によって構成されている。サッシ枠の下枠は、中空部と、下枠上面の水を中空部に導く水抜き孔と、中空部内の水を排水する排水孔とを有している。下枠の上面には、水抜き孔閉塞用の耐火材（発泡材）が取り付けられている。下枠の室外面には、排水孔閉塞用の耐火材（発泡材）が取り付けられている。このサッシでは、火災時等の熱に基づく耐火材の発泡により、下枠に形成された水抜き孔および排水孔自体を塞いて室内外を遮断可能に構成されている。
【先行技術文献】
【特許文献】
【０００４】
【特許文献１】特開２０１２−１２２３０３号公報
【発明の概要】
【発明が解決しようとする課題】
【０００５】
ところで、特許文献１に記載のサッシでは、火災時等の熱によって温度上昇する下枠の剛性降伏点が低くなると、当該下枠が障子の鉛直荷重を支持しきれなくなって熱塑性変形するおそれがある。このように下枠が変形した場合、枠体と障子との位置関係が所定位置から外れて、防火性能が低下する可能性がある。ひいては、下枠の変形に起因して障子が枠体から脱落し、防火性能を発揮できなくなる可能性もある。
【０００６】
本発明の目的は、火災時等の熱に基づき排水経路を遮断可能であるとともに、防火性能を安定して発揮できる建具を提供することにある。
【課題を解決するための手段】
【０００７】
本発明の建具は、排水経路が設けられた下枠を有する枠体と、この枠体に支持される面材とを備えた建具であって、前記排水経路に配置される補強材と、前記補強材に取り付けられた発泡材とを備え、前記補強材は、前記面材側に位置する下枠の上部を支持する見付け片部を備え、前記見付け片部は、前記排水経路を連通させる排水部を有し、前記発泡材は、加熱により発泡して前記見付け片部の排水部を閉塞可能な位置に配置されることを特徴とする。
【０００８】
このような本発明によれば、発泡材の発泡により補強材に形成された排水部を閉塞し、排水経路を遮断できる。そして、補強材の見付け片部により下枠の上部を支持することで、面材からの鉛直荷重をも支持できる。従って、火災時等の熱によって温度上昇する下枠の剛性降伏点が低下し、下枠の上部で面材の鉛直荷重を支持しきれなくなっても、補強材に面材からの鉛直荷重の支持を分担させることができる。この結果、下枠は、剛性降伏点が低下しても補強材によって補強され、熱変形が抑制されるので、枠体と面材との適切な位置関係を維持でき、所定の防火性能を安定して発揮できる。
また、発泡材を、排水部を有した補強材に取り付けたことで、補強材と発泡材とを一つのユニットとして取扱い可能となり、補強材および発泡材を下枠に簡単に設置できる。
【０００９】
本発明の建具では、前記補強材は、前記見付け片部に対し前記室内側に設けられた見込み片部を備え、前記見込み片部は、前記排水経路を連通させる排水部を有し、前記補強材には、前記見込み片部の排水部を塞ぐ発泡材が取り付けられていることが好ましい。
このような構成によれば、火災時等に加熱される発泡材の発泡により、見付け片部の排水部と見込み片部の排水部との双方を塞ぐことができ、排水経路をより確実に遮断できる。
なお、見付け片部の排水部を塞ぐ発泡材と見込み片部の排水部を塞ぐ発泡材とは、共通部材であってもよく、また、別部材であってもよい。
【００１０】
本発明の建具では、前記補強材は、前記見付け片部に対し前記室内側に設けられた取付け片部を備え、前記取付け片部には、前記発泡材が取り付けられていることが好ましい。
このような構成によれば、取付け片部に発泡材が取り付けられるため、補強材と発泡材との位置関係が一定となる。このため、発泡材を、排水部を閉塞可能な最低限の量に減らすことができる。
【００１１】
本発明の建具では、前記補強材は、前記見付け片部に対し前記室内側に設けられた見込み片部と、前記見付け片部に対し前記室内側に設けられた取付け片部とを備え、前記見付け片部の排水部は、前記見込み片部と前記取付け片部との間に位置し、前記見込み片部は、前記排水経路を連通させる排水部を有し、前記取付け片部には、前記発泡材が前記見込み片部の排水部に向かって発泡可能な位置に取り付けられていることが好ましい。
このような構成によれば、火災時等に加熱される発泡材が発泡し、取付け片部から見込み片部に向かって発泡して当該見込み片部の排水部を塞ぐ過程において、この発泡材により取付け片部と見込み片部との間に位置する見付け片部の排水部をも塞ぐことができる。このため、見付け片部の排水部と見込み片部の排水部とを塞ぐ発泡材を共通化でき、少ない発泡材を使用して効率的に排水経路を遮断できる。
また、取付け片部に取り付けられた発泡材は、取付け片部と見込み片部との間で発泡して補強材の各排水部を塞げる位置に配置されるので、加熱により発泡しても補強材を押圧するに過ぎず、下枠自体を押圧することがほとんどない。このため、火災時等の熱によって剛性降伏点が低くなった状態の下枠の熱変形を、発泡材の発泡によって誘発するおそれをなくすことができ、補強材による下枠の支持状態を良好に保つことができる。
【００１２】
本発明の建具では、前記下枠は、前記面材を支持するレールを有し、前記見付け片部は、前記レールの下方であって前記レールによって支持する前記面材からの鉛直荷重を支持可能な位置に配置されることが好ましい。
このような構成によれば、火災時等の熱によって温度上昇する下枠の剛性降伏点が低くなっても、面材からの鉛直荷重が最も加わるレールを見付け片部によって支持できる。このため、下枠が加熱された状態でも、面材の鉛直荷重を見付け片部によって支持することで、当該鉛直荷重に基づく下枠の熱変形を抑制でき、面材のレールからの脱落を防止できる。
【００１３】
本発明の建具では、前記排水経路には、前記下枠の上面部に形成された水抜き孔と、前記下枠の室外側面部に形成された下枠排水孔とが配置され、前記下枠は、少なくとも前記上面部および前記室外側面部によって区画されるホロー部を備え、前記ホロー部には、前記補強材および前記発泡材が配置されることが好ましい。
このような構成によれば、補強材およびこれに取り付けられた発泡材がホロー部に収容されるので、下枠の外部に補強用の各種部材を増設する必要がなく、外観上、下枠に補強材が設けられていない形態の建具と差異のない構成の建具を設計できる。
【発明の効果】
【００１４】
本発明によれば、火災時等の熱に基づき排水経路を遮断可能であるとともに、防火性能を安定して発揮できる建具を提供できる。
【図面の簡単な説明】
【００１５】
【図１】本発明の第１実施形態に係る引違い窓を示す縦断面図。
【図２】第１実施形態に係る引違い窓を示す横断面図。
【図３】第１実施形態に係る引違い窓の要部を拡大して示す断面図。
【図４】第１実施形態に係る引違い窓の下枠を室外側から見た正面図。
【図５】第１実施形態に係る引違い窓の下枠を示す平面図。
【図６】第１実施形態に係る引違い窓の補強材を室内側から見た背面図。
【図７】第１実施形態に係る引違い窓の補強材を示す平面図。
【図８】本発明の第２実施形態に係る縦すべり出し窓を示す縦断面図。
【図９】第２実施形態に係る縦すべり出し窓を示す横断面図。
【図１０】第２実施形態に係る縦すべり出し窓の要部を拡大して示す断面図。
【発明を実施するための形態】
【００１６】
［第１実施形態の構成］
以下、本発明の第１実施形態を図１〜７に基づいて説明する。
図１〜３において、本実施形態に係る建具である引違い窓１は、建具の枠体である窓枠２と、面材である内外の障子３，４とを備えている。障子３，４は、従来から用いられているものであるため、説明を省略する。
以下の説明においては、建物の躯体に取り付けられた引違い窓１を見たときに、上下となる方向を上下方向、左右となる方向を左右方向とし、上下方向および左右方向に直交する方向を室内外方向として示す。
【００１７】
窓枠２は、建物の開口部に配置されて建物の躯体に固定されている。窓枠２は、上枠２１、下枠２２および左右の縦枠２４，２５を備えて構成される。上枠２１、下枠２２および左右の縦枠２４，２５は、アルミ製の押出形材によって構成されている。
【００１８】
下枠２２は、図３〜５に示すように、上面部２２１（上部）、下面部２２２、室外側面部２２３、室内側面部２２４および取付け部２２５を備えて構成されている。上面部２２１、下面部２２２、室外側面部２２３および室内側面部２２４によってホロー部２２６が区画されている。上面部２２１の上面には、室外側の外レール２２７および室内側の内レール２２８が立設されている。外レール２２７は室外側の障子３（外障子）を左右方向に移動可能に支持し、内レール２２８は室内側の障子４（内障子）を左右方向に移動可能に支持している。
【００１９】
上面部２２１は、下枠２２の見込み方向（室内外方向）に延びて形成されている。外レール２２７と内レール２２８との間に位置する上面部２２１の部分には、四角形状の水抜き孔２２９（図５参照）が左右方向に複数並んで形成されている。上面部２２１の下面には、後述する補強材５に接触する突出部としてのビスホール形成部２２１Ａが設けられている。
なお、上面部２２１、外レール２２７および内レール２２８には係止突部が形成されており、この係止突部は樹脂製カバー材２６を係止している。また、内レール２２８よりも室内側に位置する上面部２２１の部分には、先端で躯体に当接する垂下部が形成されている。
【００２０】
下面部２２２は、下枠２２の見込み方向に延びて形成されている。下面部２２２は、上面部２２１に対し上下方向に間隔を隔てて配置されている。この下面部２２２は、建物の躯体により下方から支持されている。
【００２１】
室外側面部２２３は、下枠２２の見付け方向（上下方向）に延びて形成され、上面部２２１および下面部２２２の室外側端部に一体に連続している。室外側面部２２３の下部には矩形長孔形状の下枠排水孔２３０（図４参照）が左右方向に等間隔を隔てて複数並んで形成されている。なお、下枠排水孔２３０には、室外側からの水の吹き込みを防止する合成樹脂製の吹き込み防止部材２７が装着されている。
【００２２】
室内側面部２２４は、下枠２２の見付け方向に延びて形成されている。室内側面部２２４は、上面部２２１から下面部２２２に向かって室外側に傾斜しており、上端で上面部２２１の内レール２２８の下方部分に一体に連続し、下端で下面部２２２の室内側端部に一体に連続している。
【００２３】
取付け部２２５は、下面部２２２と室内側面部２２４との連接部分から下方に延びて形成されており、ビスを介して建物の躯体に取り付けられている。
【００２４】
このように構成される下枠２２には、図３に示すように、外レール２２７と内レール２２８との間に形成された水抜き孔２２９からホロー部２２６を経て下枠排水孔２３０から外部に排水する排水経路２３１が設けられている。排水経路２３１については、図１，３，１０に示す矢印によって模式的にあらわす。
【００２５】
前述した下枠２２には、補強材５および発泡材６が設けられている。
補強材５は、障子３の左右方向寸法とほぼ等しくなる程度に左右方向に延びて形成され、引違い窓１の閉鎖状態における障子３の下方位置に配置されている。補強材５は、アルミの押出形材によって形成され、図６，７に示すように、見付け片部５１、見込み片部５２および取付け片部５３を備えて構成されている。見付け片部５１の上部には見込み片部５２の室外側端部が連接しており、見付け片部５１の下部には取付け片部５３の室外側端部が連接している。つまり、見付け片部５１、見込み片部５２および取付け片部５３は一体形成されている。
【００２６】
見付け片部５１は、補強材５の見付け方向（上下方向）に延びて形成されており、下枠２２の上面部２２１から下面部２２２までの上下方向の間隔寸法よりも若干短い見付け方向寸法に設定されている。見付け片部５１の下部側には、矩形長孔形状の複数の排水部としての排水孔５１１が設けられている。このような排水孔５１１は、左右方向に所定間隔を隔てて複数並んで形成されている。
【００２７】
見込み片部５２は、見付け片部５１の上部から室内側に向かって補強材５の見込み方向（室内外方向）に延びて形成されている。見込み片部５２は、ビスホール形成部２２１Ａから室内側面部２２４までの室内外方向の間隔寸法よりも若干短い見込み方向寸法に設定されている。見込み片部５２には、四角形状の複数の排水孔５１２が設けられている。
排水孔５１２は水抜き孔２２９に対応した形状である。このような排水孔５１２は、左右方向に所定間隔を隔てて複数並んで形成されている。
【００２８】
取付け片部５３は、見付け片部５１の下部から室内側に向かって補強材５の見込み方向に延びて形成されている。取付け片部５３は見込み片部５２と略平行に延びて形成されており、取付け片部５３は、見込み片部５２の見込み方向寸法よりも短い見込み方向寸法に設定されている。従って、取付け片部５３の室内側の先端は、見込み片部５２の室内側の先端よりも室外側に位置している。また、取付け片部５３は、見込み片部５２に上下方向に向かい合って配置されている。
【００２９】
このように構成された補強材５は、図３に示すように、下枠２２のホロー部２２６の左右方向の端面開口から当該ホロー部２２６に挿入され、排水経路２３１上に位置している。
補強材５は、見付け片部５１の見付け方向寸法と見込み片部５２の見込み方向寸法とが、下枠２２のホロー部２２６の上下方向および室内外方向の各間隔寸法よりも若干短く設定されているので、ホロー部２２６への挿入作業を容易に行える。
また、補強材５の位置決めは、見付け片部５１をビスホール形成部２２１Ａに接触させるとともに、見込み片部５２を上面部２２１に接触させることで簡単に行える。従って、当該補強材５の下枠２２へのビス止めの際の当該補強材５の位置決めを容易に行える。
見込み片部５２は、排水孔５１２から左右方向に外れた位置で下枠２２の上面部２２１にビス止めされており、上面部２２１に密に接触している。そして、見込み片部５２は、水抜き孔２２９よりも下方であって下枠排水孔２３０よりも室内側に位置している。従って、見込み片部５２の本体部分は、水抜き孔２２９と下枠排水孔２３０との間で排水経路２３１を遮断する位置に配置されている。そして、この見込み片部５２に形成された複数の排水孔５１２は、複数の水抜き孔２２９にそれぞれ重なり合って配置され、当該水抜き孔２２９と下枠排水孔２３０との間で排水経路２３１を連通させている。
【００３０】
見込み片部５２の室内側の先端は、室内側面部２２４の上部に接近して配置されており、当該室内側面部２２４の下端よりも室内側に位置している。また、見付け片部５１と見込み片部５２との連続部分は、室外側においてビスホール形成部２２１Ａに接触している。従って、仮にビス等の脱落によって見込み片部５２が上面部２２１から下方に離間しても、補強材５は、見込み片部５２がビスホール形成部２２１Ａと室内側面部２２４の傾斜面との双方に接触した状態となり、補強材５の室内外方向における位置は維持されている。
【００３１】
見付け片部５１は、補強材５が上面部２２１にビス止めされた状態において外レール２２７の下方に配置されている。この見付け片部５１は、室外側面部２２３よりも室内側に離間して位置しているとともに、水抜き孔２２９よりも室外側であって下枠排水孔２３０よりも室内側に位置している。従って、見付け片部５１の本体部分は、水抜き孔２２９と下枠排水孔２３０との間で排水経路２３１を遮断する位置に配置されている。そして、この見付け片部５１に形成された複数の排水孔５１１は、水抜き孔２２９と下枠排水孔２３０との間で排水経路２３１を連通させている。
このようにホロー部２２６に配置された見付け片部５１は、例えば、加熱された上面部２２１が障子３の鉛直荷重を支持しきれなくなって熱変形を生じても、補強材５の下部（取付け片部５３）が下面部２２２に接触し、見付け片部５１が上面部２２１を支持可能な位置に配置される。このため、障子３の鉛直荷重を見付け片部５１に支持させ、上面部２２１の所定以上の熱変形を抑制可能となる。
なお、取付け片部５３は、下面部２２２に対し若干離間して配置されている。
【００３２】
発泡材６は、矩形状の膨張黒鉛シートによって構成されている。発泡材６は、取付け片部５３の上面に貼り付けられている。このため、発泡材６は、その発泡により見付け片部５１に沿って上方に膨張可能に配置されている。
複数の発泡材６は、一つの排水孔５１１と左右方向に並んだ三つの排水孔５１２に対応した位置にそれぞれ配置され、発泡時に当該一つの排水孔５１１と左右方向に並んだ三つの排水孔５１２とをそれぞれ閉塞可能に構成されている。
【００３３】
［第１実施形態の作用］
火災時等における排水経路２３１の遮断は次の通りに行う。
火災時等の熱に基づき、ホロー部２２６の温度が所定以上に上昇した場合、発泡材６は発泡し、取付け片部５３側から見込み片部５２に向かって上方に膨張する。この際、発泡材６は、見付け片部５１に沿って膨張するため、当該見付け片部５１の下部に形成された排水孔５１１全体を膨張初期段階に閉塞し、排水経路２３１を速やかに遮断する。つづいて、発泡材６のさらなる膨張により、見込み片部５２の排水孔５１２を閉塞し、排水経路２３１の遮断をより確実な状態とする。このように、排水経路２３１を遮断する。
【００３４】
火災時等における下枠２２の補強は次の通りに行う。
火災時等の熱に基づき、下枠２２の上面部２２１の温度が上昇して剛性降伏点が低下した場合、障子３の鉛直荷重を上面部２２１で支持しきれなくなると、当該上面部２２１に若干の熱変形が生じる。この熱変形が生じると、補強材５の見付け片部５１は、下方に若干移動して下面部２２２に接触する。この状態において、見付け片部５１は、外レール２２７、上面部２２１を介して障子３の鉛直荷重を支持する。
このように、補強材５は下枠２２を補強し、当該下枠２２の熱変形を抑制する。
【００３５】
［本実施形態の効果］
（１）発泡材６の発泡によって補強材５に形成された排水孔５１１，５１２を閉塞することで、排水経路２３１を遮断できる。
また、火災時等の熱によって温度上昇する下枠２２の剛性降伏点が低下し、上面部２２１で障子３の鉛直荷重を支持しきれなくなっても、見付け片部５１により上面部２２１を支持することで、障子３からの鉛直荷重を支持でき、当該鉛直荷重の支持を上面部２２１と見付け片部５１とで分担できる。この結果、下枠２２の熱変形が抑制され、下枠２２と障子３との適切な位置関係を維持でき、所定の防火性能を安定して発揮できる。
また、発泡材６を、排水孔５１１，５１２を有した補強材５自体に取り付けたことで、補強材５と発泡材６とを一つのユニットとして取扱い可能である。このため、補強材５および発泡材６を下枠２２に簡単に設置できる。
（２）火災時等に加熱される共通の発泡材６の発泡により、排水孔５１１，５１２の双方を塞ぐことができ、排水経路２３１をより確実に遮断できる。
具体的には、火災時等に加熱されて発泡する一つの発泡材６により、取付け片部５３から見込み片部５２に向かって発泡する過程において、取付け片部５３と見込み片部５２との間に位置する一つの排水孔５１１を塞ぐことができる。このように、三つの排水孔５１２の閉塞よりも先に排水孔５１１を塞ぐことで、外部からの火炎が内部に侵入することを効果的にかつ速やかに防止できる。
また、見込み片部５２に向かって膨張する発泡材６は、先に一つの排水孔５１１を塞ぎ、つづいて三つの排水孔５１２を塞ぐことができるので、排水孔５１１と排水孔５１２とを塞ぐ発泡材６を共通化でき、少ない発泡材６を使用しても、排水経路２３１を効率的に遮断できる。そして、取付け片部５３の上面に取り付けられた発泡材６は、取付け片部５３と見込み片部５２との間で発泡して補強材５の各排水孔５１１，５１２を塞げる位置に配置され、下枠２２の水抜き孔２２９や下枠排水孔２３０を直接塞げる位置に設けられていない。従って、発泡材６が加熱により発泡しても、当該発泡する発泡材６によって補強材５が押圧されるだけであって、下枠２２自体が押圧されることがほとんどない。このため、火災時等の熱によって剛性降伏点が低くなった状態の下枠２２の熱変形を、発泡材６の発泡によって誘発するおそれをなくすことができる。
さらに、取付け片部５３に発泡材６が取り付けられるため、補強材５と発泡材６との位置関係が一定となる。このため、発泡材６を、排水孔５１１，５１２を閉塞可能な最低限の量に減らすことができる。
加えて、発泡材６の膨張到達点である排水孔５１２を確実に塞ぐためには、当該排水孔５１２を越えた上方位置まで膨張可能な量の発泡材６が必要となる。しかし、本実施形態では、この発泡材６の量を減らしても、排水孔５１１の閉塞は可能であり、火炎の侵入を防止できる。
（３）火災時等の熱によって温度上昇する下枠２２の剛性降伏点が低くなっても、障子３からの鉛直荷重が最も加わる外レール２２７を見付け片部５１によって支持できる。このため、障子３の鉛直荷重に基づく上面部２２１の熱変形を抑制でき、当該下枠２２が熱変形して障子３の外レール２２７から脱落することを防止できる。
（４）補強材５およびこれに取り付けられた発泡材６がホロー部２２６に収容されるので、下枠２２の外部に補強用の各種部材を増設する必要がなく、外観上、下枠２２に補強材５が設けられていない形態の建具と差異のない構成の引違い窓１を設計できる。
【００３６】
［第２実施形態の構成］
以下、本発明の第２実施形態を図８〜１０に基づいて説明する。
図８〜１０において、本実施形態に係る建具である縦すべり出し窓１Ａは、建具の枠体である窓枠２Ａと、面材である障子３Ａとを備え、窓枠２Ａには補強材５Ａおよび発泡材６Ａが設けられている。辷出し動作する障子３Ａは、従来から用いられているものであるため、説明を省略する。
窓枠２Ａは、建物の開口部に配置されて建物の躯体に固定されている。窓枠２Ａは、上枠２１、下枠２２Ａおよび左右の縦枠２４，２５を備えて構成される。
【００３７】
下枠２２Ａは、図１０に示すように、上面部２２１、下面部２２２、室外側面部２２３、室内側面部２２４および取付け部２２５を備えて構成されている。上面部２２１、下面部２２２、室外側面部２２３および室内側面部２２４はホロー部２２６を区画している。
上面部２２１に形成された複数の水抜き孔２２９と室外側面部２２３に形成された複数の下枠排水孔２３０とは、左右方向において交互に配置されている。
なお、上面部２２１、下面部２２２、室外側面部２２３および室内側面部２２４は略平板状に形成されている。また、縦すべり出し窓１Ａであるため、上面部２２１には、前述した外レール２２７および内レール２２８は設けられていない。さらに、突出部としてのビスホール形成部２２１Ａの構成も省略されている。
【００３８】
補強材５Ａはホロー部２２６に配置されている。補強材５Ａは、見付け片部５１と、見込み片部５２と、見込み片部５２の室内側の先端に一体に連続している室内側の見付け片部５４とを備えている。見付け片部５１は室外側面部２２３に沿って配置されており、見込み片部５２は上面部２２１に沿って配置され、見付け片部５４は、室内側面部２２４に沿って配置されている。見付け片部５１，５４の下方の先端は下面部２２２にそれぞれ接触している。従って、見込み片部５２は、見付け片部５１，５４によって支持されている。
【００３９】
見付け片部５１には、排水孔５１１ではなく、排水切欠部５１１Ａが複数形成されている。排水切欠部５１１Ａは、見付け片部５１の下部を切り欠いて形成されている。複数の排水切欠部５１１Ａは、複数の下枠排水孔２３０にそれぞれ隣接配置されている。
見込み片部５２には、排水孔（図示せず）が複数形成されている。この複数の排水孔は、複数の水抜き孔２２９にそれぞれ隣接配置されている。また、この複数の排水孔と複数の排水切欠部５１１Ａとは、左右方向において交互に配置されている。
【００４０】
発泡材６Ａは、見込み片部５２の下面であって当該見込み片部５２に形成された複数の排水孔間の位置に取り付けられている。従って、発泡材６Ａが発泡した場合、下方に向かって膨張して見付け片部５１の排水切欠部５１１Ａを閉塞可能な状態となっている。また、発泡材６Ａが発泡した場合、左右方向にも膨張して見込み片部５２の排水孔をも閉塞可能な状態となっている。
【００４１】
なお、補強材５Ａおよび発泡材６Ａの各寸法は、下枠２２や水抜き孔２２９、下枠排水孔２３０の各寸法に対応して適宜設定される。
【００４２】
このような補強材５Ａおよび発泡材６Ａを備えた縦すべり出し窓１Ａにおいても、前述した引違い窓１と概略同様の作用効果を発揮できる。
【００４３】
［変形例］
なお、本発明は以上の実施形態で説明した構成のものに限定されず、本発明の目的を達成できる範囲での変形例は、本発明に含まれる。
例えば、引違い窓１では、見付け片部５１、見込み片部５２および取付け片部５３を有した補強材５を備えているが、これに代えて、例えば、見付け片部５１，５４および見込み片部５２を有した補強材５Ａを備えていてもよい。
また逆に、縦すべり出し窓１Ａでは、見付け片部５１，５４および見込み片部５２を有した補強材５Ａを備えているが、これに代えて、見込み片部５２および取付け片部５３を有した補強材５を備えていてもよい。
【００４４】
前記実施形態では、補強材５は、排水孔５１１を排水部として有しているが、これに代えて、例えば、排水切欠部５１１Ａを排水部として有していてもよい。また逆に、補強材５Ａは、排水切欠部５１１Ａを有しているが、これに代えて、排水孔５１１を有していてもよい。
【００４５】
前記実施形態では、見付け片部５１の見付け方向寸法は、下枠２２の上面部２２１から下面部２２２までの上下方向の間隔寸法よりも若干短く設定されているが、例えば、前述した間隔寸法と同じ長さに設定されていてもよい。この場合、ホロー部２２６に配置される補強材５の見付け片部５１の下端は、下面部２２２に接触する。
【００４６】
前記実施形態では、見込み片部５２の見込み方向寸法は、ビスホール形成部２２１Ａから室内側面部２２４までの室内外方向の間隔寸法よりも若干短く設定されているが、例えば、前述した間隔寸法と同じ長さに設定されていてもよい。この場合、ホロー部２２６に配置された補強材５の見込み片部５２の室内側の先端は、室内側面部２２４に接触する。
【００４７】
前記実施形態では、補強材５は、障子３の左右方向寸法とほぼ等しくなる程度に左右方向に延びて形成されているが、これに限定されず、種々の長さに形成されていてもよい。例えば、補強材５は、下枠２２の左右方向寸法とほぼ等しくなる程度に左右方向に延びて形成されていてもよい。この場合、補強材５の左右方向における位置は、縦枠２４，２５や、当該縦枠２４，２５と下枠２２とを連結するアングル材（図示せず）によって維持されてもよい。
【００４８】
前記実施形態では、補強材５は、アルミの押出形材によって形成されているが、これに限定されず、例えば、スチール製であって折り曲げ加工によって形成されていてもよい。
【００４９】
前記実施形態では、補強材５は、一体形成された見付け片部５１、見込み片部５２および取付け片部５３によって構成されているが、これに限定されない。例えば、見付け片部５１、見込み片部５２および取付け片部５３が互いに別部材として形成され、これらをネジ等によって連結することで、補強材５が構成されていてもよい。
また、前記実施形態では、補強材５Ａは、一体形成された見付け片部５１，５４および見込み片部５２によって構成されているが、これに限定されない。例えば、見付け片部５１，５４および見込み片部５２が互いに別部材として形成され、これらをネジ等によって連結することで、補強材５Ａが構成されていてもよい。
【００５０】
前記実施形態において、取付け片部５３は、室内側に水平に真直ぐ延びて形成されていてもよく、室内側に傾斜して延びて形成されていてもよい。また、取付け片部５３は下面部２２２から室内側面部２２４に沿って湾曲して延びて形成されていてもよい。なお、取付け片部５３の上面は、平坦に形成されていてもよく、湾曲して形成されていてもよい。
【００５１】
前記実施形態では、補強材５は、見付け片部５１、見込み片部５２および取付け片部５３を備えて構成されているが、これに限定されない。例えば、補強材５は、見込み片部５２が省略されて構成されていてもよく、また、取付け片部５３が省略されて構成されていてもよい。取付け片部５３の構成が省略される場合、発泡材６は見付け片部５１および見込み片部５２のうちのいずれかに、または双方に設けられる。
【符号の説明】
【００５２】
１…引違い窓（建具）、１Ａ…縦すべり出し窓（建具）、２，２Ａ…窓枠（枠体）、２１…上枠、２２，２２Ａ…下枠、２２１…上面部、２２１Ａ…ビスホール形成部（突出部）、２２２…下面部、２２３…室外側面部、２２４…室内側面部、２２５…取付け部、２２６…ホロー部、２２７…外レール、２２８…内レール、２２９…水抜き孔、２３０…下枠排水孔、２３１…排水経路、２４，２５…縦枠、２６…樹脂製カバー材、２７…吹き込み防止部材、３，３Ａ，４…障子、５，５Ａ…補強材、５１，５４…見付け片部、５１１，５１２…排水孔、５１１Ａ…排水切欠部、５２…見込み片部、５３…取付け片部、６，６Ａ…発泡材。
【図１】
2015209659.tif 000003
【図２】
2015209659.tif 000004
【図３】
2015209659.tif 000005
【図４】
2015209659.tif 000006
【図５】
2015209659.tif 000007
【図６】
2015209659.tif 000008
【図７】
2015209659.tif 000009
【図８】
2015209659.tif 000010
【図９】
2015209659.tif 000011
【図１０】
2015209659.tif 000012